(57)【要約】 【課題】  配線・配管材を支持する配線・配管材支持具同士をガタ付くことなくしっかりと連結できるようにすることによって、複数の配線・配管材をしっかりと支持できるようにした配線・配管材支持具を提供する。【解決手段】  配線・配管材Ｈを支持する支持部２を備えた配線・配管材支持具１であると共に当該支持同士が互いに連結可能な配線・配管材支持具１であって、  前記支持部２から板状に延設されると共に弾性変形可能で且つ弾性的復元力を備える延出板部３と、  他の前記支持具１が連結される連結部４とを備え、  前記延出板部３が初期状態と異なる形状に強制的に弾性変形させられながら前記他の配線・配管材支持具１の前記連結部４に連結されると共に該延出板部３が初期状態へ復帰しようとする弾性的復元力によって該延出板部３が前記連結部４に圧接して両支持具１が連結される。【選択図】  図１
2010121754.tif 000002
【特許請求の範囲】
【請求項１】
配線・配管材を支持する支持部を備えた配線・配管材支持具であると共に当該支持具同士が互いに連結可能な配線・配管材支持具であって、
前記支持部から板状に延設されると共に弾性変形可能で且つ弾性的復元力を備える延出板部と、
他の前記支持具が連結される連結部とを備え、
前記延出板部が初期状態と異なる形状に強制的に弾性変形させられながら前記他の配線・配管材支持具の前記連結部に連結されると共に該延出板部が初期状態へ復帰しようとする弾性的復元力によって該延出板部が前記連結部に圧接して両支持具が連結されることを特徴とする配線・配管材支持具。
【請求項２】
前記延出板部は、初期状態で弧状に曲折し、且つ、前記他の配線・配管材支持具の連結部に連結された状態での曲率が当該初期状態での曲率とは異なることを特徴とする請求項１に記載の配線・配管材支持具。
【請求項３】
前記延出板部は、初期状態で弧状に曲折し、且つ、前記他の配線・配管材支持具の連結部に連結された状態においては、当該初期状態での曲折方向とは反対方向へ曲折していることを特徴とする請求項２に記載の配線・配管材支持具。
【請求項４】
前記延出板部を弾性変形させる支点となる突起を前記連結部近傍に設けたことを特徴とする請求項１乃至３の何れか１項に記載の配線・配管材支持具。
【請求項５】
前記延出板部は略Ｃ形状のリップ溝型鋼材に固定可能であって前記延出板部は前記リップ溝型鋼材のリップ部に引っ掛けられるリップ引っ掛け部を備え、
前記延出板部は該リップ溝型鋼材内に挿入された状態において、該リップ溝型鋼材内面に当接する前記延出板部の先端と前記リップ部に引っ掛けられる前記リップ引っ掛け部とにより弾性変形して該リップ溝型鋼材内で突っ張って固定されることを特徴とする請求項１乃至４の何れか１項に記載の配線・配管材支持具。
【請求項６】
前記支持部は、配線・配管材を挿入するための挿入口を備え、前記支持具同士を連結した状態において当該挿入口が略同一方向を向くように形成されていることを特徴とする請求項１乃至５の何れか１項に記載の配線・配管材支持具。
【発明の詳細な説明】
【技術分野】
【０００１】
本発明は配線・配管材を支持する配線・配管材支持具に係り、特に、当該配線・配管材支持具同士をガタ付くことなくしっかりと連結できるようにすることで、複数の配線・配管材をしっかりと支持できるようにした配線・配管材支持具の連結に関するものである。
【背景技術】
【０００２】
特許文献１に記載されているように、配線・配管材を支持する配線・配管材支持具であって、互いに連結できるようにした配線・配管材支持具が知られている。
【０００３】
【特許文献１】特開２００６−３８１６号公報
【０００４】
図７、図８は、当該配線・配管材支持具１００同士の連結を示す。当該配線・配管材支持具１００は配線・配管材を支持する支持部１０１を有すると共に該支持部１０１の一側には、断面路がチャンネル状の連結部１０２が設けられ、他側にはＴ字状の連結部１０３が設けられている。
【０００５】
そして、図８に示すように、二つの配線・配管材支持具１００を並べ、一つ目の配線・配管材支持具１００のＴ字状の連結部１０３を二つ目の配線・配管材支持具１００の断面路がチャンネル状の連結部１０２に連結することによって、二つの配線・配管材支持具１００同士が連結される。
【０００６】
以上の作業工程を繰り返すことで、三つ以上の配線・配管材支持具１００同士を連結して、複数の配線・配管材Ｈを支持することができる。
【発明の開示】
【発明が解決しようとする課題】
【０００７】
しかし、前述の配線・配管材支持具１００同士は、いわゆる、凹凸嵌合によって連結される構造のために、配線・配管材支持具１００同士の連結部１０２，１０３の寸法公差等によって、連結状態がぐらつき易く、更には、長い年月の経過に伴って、配線・配管材支持具１００同士の連結が外れ易くなるという問題もあった。
【０００８】
更に、前述のように、背景技術に記載の配線・配管材支持具１００同士の連結が弱いために、互いに連結された複数の配線・配管材支持具１００が設置面Ｓ上に配置されることは可能であるとしても、支えの無い空中に配置することは困難であった。
【０００９】
そこで、本願は、前記背景技術の問題点に鑑みてなされたもので、その目的は、空中に配置する場合であっても、配線・配管材を支持する配線・配管材支持具同士をガタ付くことなくしっかりと連結できるようにすることによって、複数の配線・配管材をしっかりと支持できるようにした配線・配管材支持具を提供するにある。
【課題を解決するための手段】
【００１０】
請求項１に記載の発明は、配線・配管材を支持する支持部を備えた配線・配管材支持具であると共に当該支持具同士が互いに連結可能な配線・配管材支持具であって、
前記支持部から板状に延設されると共に弾性変形可能で且つ弾性的復元力を備える延出板部と、
他の前記支持具が連結される連結部とを備え、
前記延出板部が初期状態と異なる形状に強制的に弾性変形させられながら前記他の配線・配管材支持具の前記連結部に連結されると共に該延出板部が初期状態へ復帰しようとする弾性的復元力によって該延出板部が前記連結部に圧接して両支持具が連結されることを特徴とするものである。
【００１１】
請求項２に記載の発明は、請求項１に記載の発明において、延出板部は、初期状態で弧状に曲折し、且つ、前記他の配線・配管材支持具の連結部に連結された状態での曲率が当該初期状態での曲率とは異なることを特徴とするものである。
【００１２】
請求項３に記載の発明は、請求項２に記載の発明において、延出板部は、初期状態で弧状に曲折し、且つ、前記他の配線・配管材支持具の連結部に連結された状態においては、当該初期状態での曲折方向とは反対方向へ曲折していることを特徴とするものである。
【００１３】
請求項４に記載の発明は、請求項１乃至３の何れか１項に記載の発明において、
延出板部を弾性変形させる支点となる突起を前記連結部近傍に設けたことを特徴とするものである。
【００１４】
請求項５に記載の発明は、請求項１乃至４の何れか１項に記載の発明において、延出板部はリップ溝型鋼材に固定可能であって前記延出板部は該リップ溝型鋼材のリップ部に係止するリップ引っ掛け部を備え、
前記延出板部は該リップ溝型鋼材内に挿入された状態において、該リップ溝型鋼材内面に当接する前記延出板部の先端と前記リップ引っ掛け部とにより弾性変形して該リップ溝型鋼材内で突っ張って固定されることを特徴とするものである。
【００１５】
請求項６に記載の発明は、請求項１乃至５何れか１項に記載の発明において、
前記支持部は、配線・配管材を挿入するための挿入口を備え、前記支持具同士を連結した状態において当該挿入口が略同一方向を向くように形成されていることを特徴とするものである。
【発明の効果】
【００１６】
請求項１に記載の発明によれば、一つ目の配線・配管材支持具の連結部に連結した二つ目の配線・配管材支持具の延出板部が初期状態へ復帰しようとする弾性的復元力によって該延出板部が連結部に圧接することで、二つの配線・配管材支持具同士がガタ付くことなくしっかりと連結される。以下同様にして複数の配線・配管材支持具同士がしっかりと連結されるために、複数の配線・配管材はしっかりと支持されることができる。
【００１７】
請求項２に記載の発明によれば、延出板部を弧状に形成し、該延出板部が連結部に連結した状態において、該延出板部の曲率を初期の曲率とは異なる曲率に変化するようにすることで、該延出板部は初期の曲率に復元しようとする復元力によって、該延出板部は連結部に圧接することができるために、二つの配線・配管材支持具同士がしっかりと連結することができる。
【００１８】
請求項３に記載の発明によれば、延出板部を弧状に形成し、該延出板部が連結部に連結した状態において、該延出板部の曲折方向を反対方向へ曲折するようにすることで、該延出板部は連結部にガタ付くことなくしっかりと連結することができる。
【００１９】
請求項４に記載の発明によれば、請求項１乃至３の何れか１項に記載の発明の作用効果を奏することができる上に、一つ目の配線・配管材支持具の連結部近傍に設けられた突起を支点にして二つ目の配線・配管材支持具の延出板部を弾性変形させた後、該二つ目の配線・配管材支持具の延出板部を一つ目の配線・配管材支持具の連結部に連結させることができるために、二つ目の配線・配管材支持具を一つ目の配線・配管材支持具に容易に連結させることができる。
【００２０】
請求項５に記載の発明によれば、請求項１乃至４の何れか１項に記載の発明の作用効果を奏することができる上に、配線・配管材支持具をリップ溝型鋼に取り付けることができる。
【００２１】
請求項６に記載の発明によれば、請求項１乃至５の何れか１項に記載の発明の作用効果を奏することができる上に、複数の配線・配管材支持具同士を連結した状態において、各配線・配管材支持具の支持部に配線・配管材を挿入するための挿入口が同一方向を向くために、全ての配線・配管材支持具に対して同一方向から配線・配管材を挿入することができる。
【発明を実施するための最良の形態】
【００２２】
図１は、配線・配管材支持具１の斜視図を示す。図１に示すように、配線・配管材支持具１は、配線・配管材Ｈを支持する支持部２と、該支持部２から延設された延出板部３、及び連結部４とを備えている。該配線・配管材支持具１は、外部から力を加えて変形させた場合に弾性的に復元する樹脂等で一体に成形されることができる。
【００２３】
図１に示すように、前記支持部２は、配線・配管材Ｈの周囲を囲むように該配線・配管材Ｈを支持する部位である。該支持部２は、支持本体部５と、締め付け部６とから構成されている。該支持本体部５は、板体を弧状に湾曲した形態に形成され、配線・配管材Ｈの長手方向と直交する方向から該配線・配管材Ｈを支持部２内へ挿入するための挿入口７が開口している。
【００２４】
図２は図１を矢示Ａ方向から観た状態を示す。図３は図２を矢示Ｂ方向から観た状態を示す。図２に示すように、前記締め付け部６は前記挿入口７を開閉可能に前記支持本体部５に設けられている。該締め付け部６は基端側が前記支持本体部５から延設され、先端側には突状の引っ掛け部８が設けられている。該引っ掛け部８は、前記支持本体部５に設けられた凹状の引っ掛け受部９に引っ掛け可能になっている。該引っ掛け受部９は、前記支持本体部５の周方向へ位置を異ならせて複数設けることで、前記支持部２で支持できる配線・配管材Ｈの太さに適合させることができるようになっている。
【００２５】
図３に示すように、前記延出板部３は前記支持部４の幅と略同一の幅Ｔの板体を、図２に示すように、該板体の長さ方向へ弧状に湾曲した形態に形成されている。該延出板部３の長さ方向の一端には該延出板部３の幅方向へ向けて連結突起１０が設けられている。該連結突起１０の両端部１０Ａは前記延出板部３の幅方向両側へ突出している。又、図３に示すように、該延出板部３の一端側には切欠きＶが設けられることで、該延出板部３の幅が細くなっている。
【００２６】
又、図２に示すように、延出板部３の長さ方向の他端と前記支持本体部５との間の隙間は、後述するように、間柱等として用いられる略Ｃ形状のリップ溝型鋼Ｒのリップ部１１に引っ掛けられるリップ引っ掛け部１２になっている。該延出板部３の凸面３Ａ側が前記支持本体部５に連設されている。
【００２７】
図２に示すように、前記連結部４は、基端側の円筒壁１３と、該円筒壁１３に連設されると共に前記支持本体部５の側面から僅かの隙間を開けて該側面に沿って湾曲して形成された弧状壁１４とで形成されている。該連結部４は、該円筒壁１３と支持本体部５の側面とで囲まれた円筒状空間１５と、前記支持本体部５の側面と該弧状壁１４とで囲まれた弧状空間１６とを有している。又、図３に示すように、該連結部４の幅Ｔは、前記支持部２、延出板部３の幅Ｔと同一である。
【００２８】
図２に示すように、前記円筒状空間１５は、互いに対向する両端面１７，１８と、一側面１９と、他側面２０とで囲まれ、両端面１７，１８は互いに開口し、一側面１９は前記円筒壁１３で閉塞され、他側面２０は開口している。
【００２９】
又、図２に示すように、前記湾曲空間１６は端面に嵌入口１６Ａが開口すると共に、図３に示すように、該嵌入口１６Ａと対向する底部１６Ｂを有し、且つ、図２に示すように、一側面２３と、他側面２４が開口している。そして、同図２に示すように、該円筒状空間１５の他側面２０と、前記湾曲空間１６の一側面２３とが互いに連通している。又、図３に示すように、前記底部１６Ｂの厚さは、前記延出板部３の切欠きＶの幅と同一に形成されている。
【００３０】
前記支持本体部５の端面であって、前記湾曲空間１６に接する部位には、突起２５が設けられている。図２に示すように、該突起２５の一側面は、支持本体部５の側面と面一に形成されている。
【００３１】
次に、一つの配線・配管材支持具１を前記リップ溝型鋼Ｒに取り付けると共に二つ目の配線・配管材支持具１を一つ目の配線・配管材支持具１に連結し、更に、三つ目の配線・配管材支持具１を二つ目の配線・配管材支持具１に連結する作業について説明する。
【００３２】
図４に示すように、前記リップ溝型鋼Ｒは、リップ溝２６を有し、該リップ溝２６の両側がリップ部１１になっている。
【００３３】
先ず、図４に示すように、一つ目の配線・配管材支持具１の延出板部３の先端に設けられている連結突起１０を前記リップ溝型鋼Ｒの底部のコーナ部Ｋに位置させる。次に、支持部２を前記リップ溝型鋼Ｒに接近させるようにしながら配線・配管材支持具１の延出板部３を撓らせるように弾性変形させながら該配線・配管材支持具１のリップ引っ掛け部１２をリップ溝型鋼Ｒのリップ部１１に引っ掛ける。
【００３４】
この状態において、前記延出板部３が初期の形態に弾性的に復元しようとする復元力で前記リップ溝型鋼Ｒのコーナ部Ｋとリップ部１１との間で突っ張って固定されることで、一つ目の配線・配管材支持具１が前記リップ溝型鋼Ｒに取り付けられる。
【００３５】
次に、図４に示すように、二つ目の配線・配管材支持具１の連結突起１０の端部１０Ａを、一つ目の配線・配管材支持具１の連結部４の円筒状空間１５に差し込む。この時、同図４に示すように、二つ目の配線・配管材支持具１の延出板部３の突面３Ａ側を一つ目の配線・配管材支持具１の突起２５に当接させる。
【００３６】
次に、同図４において、二つ目の配線・配管材支持具１の支持部２側に対して、同図３中、矢示方向Ｘへの力を加える。当該力は二つ目の配線・配管材支持具１の延出板部３に作用し、該延出板部３を一つ目の配線・配管材支持具１の突起２５を支点にして、初期の状態とは逆方向へ撓らせるように弾性変形させる。
【００３７】
このように、二つ目の配線・配管材支持具１の延出板部３が初期の曲折方向とは反対方向へ撓るように弾性変形することで、該二つ目の配線・配管材支持具１の延出板部３が一つ目の配線・配管材支持具１の連結部４の湾曲空間１６の嵌入口１６Ａから該湾曲空間１６内へ嵌り込んで、延出板部３の切欠きＶが湾曲空間１６の底部１６Ｂに当接する。
【００３８】
二つ目の配線・配管材支持具１の延出板部３は初期の状態から弾性変形することで、復元力が発生した状態で、一つ目の配線・配管材支持具１の連結部４に連結しているために、一つ目の配線・配管材支持具１の連結部４と、二つ目の配線・配管材支持具１の延出板部３とが弾性的に圧接した状態で連結することができて、両者間がガタ付くことなく、強固に連結される。
【００３９】
又、前述のように、二つ目の配線・配管材支持具１の延出板部３の切欠きＶが一つ目の配線・配管材支持具１の湾曲空間１６の底部１６Ｂに当接することで、二つ目の配線・配管材支持具１の延出板部３が一つ目の配線・配管材支持具１の湾曲空間１６から突出することがなく、作業の邪魔にならない。
【００４０】
以上と同様の作業工程を繰り返すことで、三つ目の配線・配管材支持具１を二つ目の配線・配管材支持具に連結する。この状態は図５に示す。
【００４１】
次に、一つ目の配線・配管材支持具１の締め付け部６の先端側を支持部本体５から離間させるようにして起こすことで、支持部２の挿入口７を開口させ、該挿入口７から配線・配管材Ｈを支持部２内へ挿入して該支持部２で配線・配管材Ｈを支持する。
【００４２】
ここで、延出板部３、及び連結部４が支持本体部５に連設されているために、配線・配管材支持具１同士を連結した際に、全ての配線・配管材支持具１の挿入口７は同一方向を向くことができるために、各配線・配管材支持具１に対して同一方向から配線・配管材Ｈを嵌入することができて、当該作業が容易になる。
【００４３】
以下、同様にして、二つ目の配線・配管材支持具１、三つ目の配線・配管材支持具１に配線・配管材Ｈを順次支持させる。
【００４４】
以上のように、配線・配管材支持具同士１が弾性的に連結するために、仮に、これら複数の配線・配管材支持具同士１が空中で連結されて配置させる場合であっても、これら複数の配線・配管材支持具同士１は互いにガタ付くことなく強固に連結されることができる。
【００４５】
又、以上の実施形態では、一つ目の配線・配管材支持具１の延出板部３を初期状態の曲折方向とは反対方向へ曲折させるようにして該延出板部３を二つ目の配線・配管材支持具１の連結部４に連結したが、一つ目の配線・配管材支持具１の延出板部３を初期状態の曲率とは異なる曲率に変化させるようにして該延出板部３を二つ目の配線・配管材支持具１の連結部４に連結するようにすることも可能である。
【００４６】
図６は、第２実施形態を示す。この第２実施形態の特徴は、配線・配管材支持具１の延出板部３を平板状に形成し、同図６中、二点鎖線で示すように、該延出板部３を撓らせながらリップ型鋼材に取り付け、又、二つ目の配線・配管材支持具の該延出板部３を撓らせながら一つ目の配線・配管材支持具の連結部４に弾性的に連結するようにすることも可能である。
【図面の簡単な説明】
【００４７】
【図１】図１は配線・配管材支持具の斜視図を示す。
【図２】図２は、図１中、矢示Ａ方向から観た状態を示す。
【図３】図３は、図２中、矢示Ｂ方向から観た状態を示す。
【図４】図４は、リップ溝型鋼材に取り付けられた一つ目の配線・配管材支持具に二つ目の配線・配管材支持具を取り付ける作業の途中を示す図である。
【図５】図５は、三つの配線・配管材支持具を連結した状態を示す図である。
【図６】図６は第２実施形態を示す図である。
【図７】図７は背景技術を示す図である。
【図８】図８は背景技術を示す図である。
【符号の説明】
【００４８】
１  配線・配管材支持具
２  支持部
３  延出板部
４  連結部
５  支持部本体
６  締め付け部
７  挿入口
【図１】
2010121754.tif 000003
【図２】
2010121754.tif 000004
【図３】
2010121754.tif 000005
【図４】
2010121754.tif 000006
【図５】
2010121754.tif 000007
【図６】
2010121754.tif 000008
【図７】
2010121754.tif 000009
【図８】
2010121754.tif 000010